(57)【要約】【課題】必要以上に誘導加熱コイルのリード線を長くすることなく、所定の位置からのもれ磁束を低減でき、リード線のジュール損失も低減できる電磁誘導加熱調理器を得ることを目的とする。【解決手段】筐体１内に誘導加熱コイル４を有する誘導加熱コイル部２を備えた電磁誘導加熱調理器において、その誘導加熱コイル４のリード線６ａ、６ｂを、誘導加熱コイル部２の側面部と前面部で該誘導加熱コイル４の巻線方向と逆方向になるように配置したものである。【選択図】        図１
2004327198.tif 000002
【特許請求の範囲】
【請求項１】
筐体内に誘導加熱コイルを有する誘導加熱コイル部を備えた電磁誘導加熱調理器において、
前記誘導加熱コイルのリード線を、前記誘導加熱コイル部の側面部と前面部で該誘導加熱コイルの巻線方向と逆方向になるように配置したことを特徴とする電磁誘導加熱調理器。
【請求項２】
前記誘導加熱コイルのリード線の巻き始め側及び巻き終わり側のいずれか一方又は両方を、十分に長くして前記誘導加熱コイル部の側面部と前面部で該誘導加熱コイルの巻線方向と逆方向になるように配置したことを特徴とする請求項１記載の電磁誘導加熱調理器。
【請求項３】
前記誘導加熱コイルのリード線の巻き始め側及び巻き終わり側のいずれか一方又は両方であって、前記誘導加熱コイル部の側面部と前面部で該誘導加熱コイルの巻線方向と逆方向になるように配置した部分は、該リード線に接続されて該リード線より太い延長リード線であることを特徴とする請求項１記載の電磁誘導加熱調理器。
【請求項４】
筐体内に誘導加熱コイルを有する誘導加熱コイル部を備えた電磁誘導加熱調理器において、
前記誘導加熱コイルのリード線を、前記誘導加熱コイル部の側面部と背面部で該誘導加熱コイルの巻線方向と逆方向になるように配置したことを特徴とする電磁誘導加熱調理器。
【請求項５】
前記誘導加熱コイルのリード線の巻き始め側及び巻き終わり側のいずれか一方又は両方を、十分に長くして前記誘導加熱コイル部の側面部と背面部で該誘導加熱コイルの巻線方向と逆方向になるように配置したことを特徴とする請求項４記載の電磁誘導加熱調理器。
【請求項６】
前記誘導加熱コイルのリード線の巻き始め側及び巻き終わり側のいずれか一方又は両方であって、前記誘導加熱コイル部の側面部と背面部で該誘導加熱コイルの巻線方向と逆方向になるように配置した部分は、該リード線に接続されて該リード線より太い延長リード線であることを特徴とする請求項４記載の電磁誘導加熱調理器。
【請求項７】
前記請求項１、２、４及び５のいずれかに記載のリード線又は前記請求項３又は６のいずれかに記載の延長リード線を、前記筐体の一部に設けられた線固定具に固定させたことを特徴とする電磁誘導加熱調理器。
【発明の詳細な説明】
【０００１】
【発明の属する技術分野】
本発明は電磁誘導加熱調理器、特にそのもれ磁束に関するものである。
【０００２】
【従来の技術】
従来の電磁誘導加熱調理器では、もれ磁束を低減するために、誘導加熱コイルが渦巻状に巻かれている第１のコイルと、この第１のコイルの磁界を打ち消す方向（第１のコイルに対して逆向き）に設けられた第２のコイルを直列に接続し、第２のコイルは第１のコイルと所定の間隔をおいて同心となるように装置本体内部に設けられている（例えば、特許文献１参照。）。
【０００３】
【特許文献１】
特開平１０−３３５０５７号公報（第３頁７２〜７８行、図１）
【０００４】
【発明が解決しようとする課題】
上記のような従来の電磁誘導加熱調理器にあっては、誘導加熱コイルの第２のコイルは第１のコイルと所定の間隔をおいて外側で同心となっているため、第２のコイルに用いる導線の長さがながくなるので、第２のコイルのジュール損失が大きくなるという問題点があった。
【０００５】
本発明は、このような問題点を解決するためになされたものであり、必要以上に誘導加熱コイルのリード線を長くすることなく、所定の位置からのもれ磁束を低減でき、リード線のジュール損失も低減できる電磁誘導加熱調理器を得ることを目的とする。
【０００６】
【課題を解決するための手段】
本発明に係る電磁誘導加熱調理器は、筐体内に誘導加熱コイルを有する誘導加熱コイル部を備えた電磁誘導加熱調理器において、前記誘導加熱コイルのリード線を、前記誘導加熱コイル部の側面部と前面部で該誘導加熱コイルの巻線方向と逆方向になるように配置したものである。
【０００７】
【発明の実施の形態】
実施の形態１．
図１は本発明の実施の形態１に係る電磁誘導加熱調理器の誘導加熱コイルを示す平面図である。
図１に示す通常３口の電磁誘導加熱調理器の場合、筐体１の調理する人がいる前面側は図の下側に位置している。その筐体１内には誘導加熱コイル部２が左右にそれぞれ１台づつ設置され、２台の誘導加熱コイル部２の左右中央の奥にラジエントヒータ３が設置されている。そして、２台の電磁誘導加熱コイル部２及びラジエントヒータ３は、筐体１の上面部に取り付けられたトッププレート（図示せず）の下面近くに配置されている。
【０００８】
トッププレートの下面近くに配置された誘導加熱コイル部２は、渦巻き状に巻かれている誘導加熱コイル４と、誘導加熱コイル４の周囲に設置され、誘導加熱コイル４の作る磁束を打ち消すためのキャンセリング５と、誘導加熱コイル４の下部に設置された磁性体（図示せず）とから構成されている。
その誘導加熱コイル４はその中心部に巻き始めがあり、その最外周部に巻き終りがあるもので、巻き始め側と巻き終り側には長いリード線６ａ、６ｂが一体に設けられている。
以下、その巻き始め側と一体のリード線６ａを「巻き始め側リード線６ａ」といい、巻き終り側と一体のリード線６ｂを「巻き終り側のリード線６ｂ」という。
【０００９】
左方の誘導加熱コイル部２の誘導加熱コイル４の巻き始め側のリード線６ａは、誘導加熱コイル４の中心部から誘導加熱コイル部２の周囲に引き出した後に誘導加熱コイル部２の側面部と前面部で誘導加熱コイル４の巻線方向と逆方向になるように配置し、その端末が筐体１の前面側に配置された制御部（図示せず）に接続されている。
また、巻き終り側のリード線６ｂは、誘導加熱コイル４の外側から誘導加熱コイル部２の側面部で誘導加熱コイル４の巻線方向と逆方向になるように配置し、その端末が筐体１の前面側に配置された制御部（図示せず）に接続されている。
【００１０】
これに対し、右方の誘導加熱コイル部２の誘導加熱コイル４の巻き始め側のリード線６ａは、誘導加熱コイル４の中心部から誘導加熱コイル部２の周囲に引き出した後に誘導加熱コイル部２の側面部で誘導加熱コイル４の巻線方向と逆方向になるように配置し、その端末が筐体１の前面側に配置された制御部（図示せず）に接続されている。
また、巻き終り側のリード線６ｂは、誘導加熱コイル４の外側から誘導加熱コイル部２の側面部と前面部で誘導加熱コイル４の巻線方向と逆方向になるように配置し、その端末が筐体１の前面側に配置された制御部（図示せず）に接続されている。
【００１１】
次に、本発明の実施の形態１に係る電磁誘導加熱調理器の誘導加熱コイル４の作用について説明する。
通常、鍋やフライパンなどがトッププレートに載せられて調理される場合、被加熱物である鍋等にはトッププレートの下面に配置されている誘導加熱コイル４の作る磁束を打ち消すように渦電流が流れ、それにより被調理物にジュール発熱が生じ加熱される。
このとき、誘導加熱コイル４と被加熱物である鍋の作る磁束を打ち消すように、キャンセリング５に渦電流が流れるが、筐体１の外部には、キャンセリング５によって完全に打ち消されれていない磁束がもれることとなる。このもれ磁束は電磁誘導加熱調理器の筐体１の近くにおかれたラジオ等にノイズを与えることとなる。
【００１２】
また、誘導加熱コイル４の直径は、例えば略２００ｍｍであり、トッププレート上に直径が２００ｍｍを越えるような鍋が設置されても十分に加熱できるようになっている。この場合、鍋の直径は様々であるため、誘導加熱コイル４の直径よりも十分に小さい小鍋が設置されることもある。このときは、誘導加熱コイル４が十分に鍋で覆われないため、磁束が筐体１の外部にもれ易くなる。
【００１３】
そこで、この実施の形態１では、左方の誘導加熱コイル４の巻き始め側のリード線６ａを誘導加熱コイル部２の側面部と前面部で誘導加熱コイル４の巻線方向と逆方向に配置し、巻き終わり側のリード線６ｂを誘導加熱コイル部２の側面部で誘導加熱コイル４の巻線方向と逆方向に配置し、さらに右方の誘導加熱コイル４の巻き始め側のリード線６ａを誘導加熱コイル部２の側面部で誘導加熱コイル４の巻線方向と逆方向に配置し、巻き終わり側のリード線６ｂを誘導加熱コイル部２の側面部と前面部で誘導加熱コイル４の巻線方向と逆方向に配置することにより、左右両方の誘導加熱コイル４の巻き始め側と巻き終り側のリード線６ａ、６ｂがそれぞれ誘導加熱コイル４が作る磁束と逆向きの磁束を作るために、筐体１の側面部と前面部の外部へのもれ磁束を低減させる。また、筐体１の側面部と前面部の外部へのもれ磁束は周知のように、誘導加熱コイル部２からの距離が遠くなるに従い減少する。
従って、調理する人がポケットに入れたラジオを聞きながら調理するような場合、図１に示す電磁誘導加熱調理器では筐体１の前面側へのもれ磁束が小さくなるため、ラジオへのノイズを低減できることとなった。
【００１４】
また、左方の誘導加熱コイル４の巻き始め側のリード線６ａと、右方の誘導加熱コイル４の巻き終わり側のリード線６ｂを、誘導加熱コイル部２の前面部に配置するようにしたのは、調理する人が通常は筐体１の前面側にいるため、筐体１の前面側へのもれ磁束を低減させる必要があるからである。
さらに、左方の誘導加熱コイル４の巻き始め側のリード線６ａと、右方の誘導加熱コイル４の巻き終わり側のリード線６ｂを、もれ磁束を低減したい箇所付近である誘導加熱コイル部２の側面部と前面部に配置すると、従来のような誘導加熱コイル部２の周囲全体に配置する場合に比べてリード線６ａ、６ｂの長さが短くなり、ジュール損失が小さくなった。
【００１５】
通常、誘導加熱コイルのリード線には、誘導加熱コイルと同じ電流が流れ、その電流値は場合によっては５０Ａ（実効値）程度になることもある。このような大きな電流が流れると、リード線のジュール損失も無視できなくなり、リード線がなるべく短い方がリード線のジュール損失が小さく有利である。
このことはリード線のジュール損失を小さくするためには、リード線の長さを短くすればよいことになる。
そこで、上記のように、左方の誘導加熱コイル４の巻き始め側のリード線６ａと、右方の誘導加熱コイル４の巻き終わり側のリード線６ｂを誘導加熱コイル部２の側面部と前面部に配置し、左方の誘導加熱コイル４の巻き終り側のリード線６ｂと、右方の誘導加熱コイル４の巻き始め側のリード線６ａを誘導加熱コイル部２の側面部に配置するようにして各誘導加熱コイル４のリード線６ａ、６ｂの長さを短くしたものである。
【００１６】
図１の実施の形態１に示すように、左方の誘導加熱コイル４の巻き始め側のリード線６ａと、右方の誘導加熱コイル４の巻き終り側のリード線６ｂを誘導加熱コイル部２の側面部と前面部に略１ターン巻いて配置した場合に、筐体１の前面部から３０ｃｍ離れた位置のもれ磁束を測定した。また、リード線６ａ、６ｂが誘導加熱コイル部２の側面部と前面部に無い場合についても同様に測定した。
リード線６ａ、６ｂを略１ターン巻いた場合のもれ磁束は、リード線６が無い場合と比べて約７０％に減少した。
【００１７】
図２は同電磁誘導加熱調理器の誘導加熱コイルの第１の変形例を示す平面図である。
この変形例１は、左方の誘導加熱コイル４の巻き始め側のリード線６ａと、右方の誘導加熱コイル４の巻き終り側のリード線６ｂを誘導加熱コイル部２の側面部と前面部に略２ターン巻いて配置した場合である。
このように、左方の誘導加熱コイル４の巻き始め側のリード線６ａと、右方の誘導加熱コイル４の巻き終り側のリード線６ｂのターン数を略２ターンとしてターン数を増加させると、誘導加熱コイル４の磁束と逆向きの磁束成分が大きくなるので、筐体１の側面部と前面部の外部へのもれ磁束は小さくなる。
また、この変形例１についての実施の形態１と同様なもれ磁束の測定結果では、また、リード線６が誘導加熱コイル部２の側面部と前面部に無い場合と比べてもれ磁束は約４０％に減少した。
【００１８】
なお、左方の誘導加熱コイル４の巻き始め側のリード線６ａと、右方の誘導加熱コイル４の巻き終り側のリード線６ｂのターン数が略２ターンになると、リード線６ａ、６ｂの長さが長くなり、ジュール損失が増えるが、従来のように誘導加熱コイル部２全体を取り囲むように２ターン設置する場合に比べると、十分に短くジュール損失は小さいといえる。
また、この変形例１は、左方の誘導加熱コイル４の巻き始め側のリード線６ａと、右方の誘導加熱コイル４の巻き終り側のリード線６ｂを、誘導加熱コイル部２の側面部と前面部に略２ターン巻いて配置した場合であるが、必要に応じて数ターンでもかまわない。ターン数を増加させると、誘導加熱コイル４の磁束と逆向きの磁束成分が大きくなるので、所定の位置でもれ磁束が小さくなるように適宜ターン数を調整すればよい。
【００１９】
図３は同電磁誘導加熱調理器の誘導加熱コイルの第２の変形例を示す平面図である。
この変形例２は、３口の電磁誘導加熱調理器で加熱部が３つあり、左右の加熱部のうち、左方が誘導加熱コイル部２で、右方がラジエントヒータ３であり、左右中央の奥の加熱部をラジエントヒータ３としたものである。
そして、左方の誘導加熱コイル部２の誘導加熱コイル４が、実施の形態１の左方の誘導加熱コイル部２と同様に、誘導加熱コイル４の巻き始め側のリード線６ａが誘導加熱コイル部２の側面部と前面部に略１ターン巻いて配置されており、その作用、効果は実施の形態１の左方の誘導加熱コイル部２と同様であるので、その説明は省略する。
【００２０】
図４は同電磁誘導加熱調理器の誘導加熱コイルの第３の変形例を示す平面図である。
この変形例２は、２口の電磁誘導加熱調理器で加熱部が２つあり、左右両方が誘導加熱コイル部２である。
そして、左右両方の誘導加熱コイル部２の誘導加熱コイル４が、実施の形態１と同様であり、左方の誘導加熱コイル４の巻き始め側のリード線６ａと、右方の誘導加熱コイル４の巻き終わり側のリード線６ｂが誘導加熱コイル部２の側面部と前面部に略１ターン巻いて配置されており、その作用、効果は実施の形態１の左右の誘導加熱部２と同様であるので、その説明は省略する。
なお、２口の電磁誘導加熱調理器で加熱部が２つあり、左右の加熱部のうち、左方が誘導加熱コイル部２で、右方がラジエントヒータ３としたものとした場合に、左方の誘導加熱コイル部２は上記第３の変形例の左方の誘導加熱コイル部２の誘導加熱コイル４と同様の構成となり、その作用、効果も第３の変形例と同様である。
【００２１】
実施の形態２．
図５は本発明の実施の形態２に係る電磁誘導加熱調理器の誘導加熱コイルを示す平面図である。
この実施の形態２も３口の電磁誘導加熱調理器で、筐体１内には誘導加熱コイル部２が左右にそれぞれ１台づつ設置され、２台の誘導加熱コイル部２の左右中央の奥にラジエントヒータ３が設置されているものである。
この実施の形態２では、左方の誘導加熱コイル部２の誘導加熱コイル４の巻き始め側のリード線６ａは、誘導加熱コイル４の中心部から電磁誘導加熱コイル部２の周囲に引き出した後に誘導加熱コイル部２の側面部と前面部で誘導加熱コイル４の巻線方向と逆方向になるように配置し、その端末が筐体１の前面側に配置された制御部（図示せず）に接続されている。
また、巻き終り側のリード線６ｂは、その端末がそのまま筐体１の前面側に配置させた制御部（図示せず）に接続されている。
【００２２】
また、右方の電磁誘導加熱コイル部２の誘導加熱コイル４の巻き始め側のリード線６ａは、そのまま端末を筐体１の前面側に配置させた制御部（図示せず）に接続させている。また、巻き終り側のリード線６ｂは、誘導加熱コイル部２の周囲に引き出した後に誘導加熱コイル部２の側面部と前面部で誘導加熱コイル４の巻線方向と逆方向になるように配置し、その端末が筐体１の前面側に配置された制御部（図示せず）に接続されている。
【００２３】
したがって、左方の誘導加熱コイル部２の誘導加熱コイル４は、その巻き始め側のリード線６ａの方が主体となって誘導加熱コイル部２の側面部と前面部で誘導加熱コイル４が作る磁束と逆向きの磁束を作るために、筐体１の側面部と前面部の外部へもれる磁束を低減させ、巻き終り部のリード線６ｂは誘導加熱コイル４の巻線方向と逆方向になるようにせずにそのまま端末が筐体１の前面側にくるため、実施の形態１に比べて巻き終り部のリード線６ｂは短くなり、その分ジュール損失が少なくなるものである。
【００２４】
また、右方の誘導加熱コイル部２の誘導加熱コイル４は、その巻き終り側のリード線６ｂの方が主体となって誘導加熱コイル部２の側面部と前面部で誘導加熱コイル４が作る磁束と逆向きの磁束を作るために、筐体１の側面部と前面部の外部へのもれ磁束を低減させ、巻き始め側のリード線６ａは誘導加熱コイル４の巻線方向と逆方向になるようにせずにそのまま端末が筐体１の前面側にくるため、実施の形態１に比べて巻き始め部のリード線６ａは短くなり、その分ジュール損失が少なくなるものである。
【００２５】
上記実施の形態１、実施の形態１の第１〜第３の変形例及び実施の形態２における誘導加熱コイル４の巻き始め側のリード線６ａ及び巻き終わり側のリード線６ｂのいずれか一方又は両方は、十分に長くして誘導加熱コイル部２の周囲に引き出した後に誘導加熱コイル部２の側面部と前面部で誘導加熱コイル４の巻線方向と逆方向になるように配置し、その端末が筐体１の前面側に配置された制御部（図示せず）に接続されているので、誘導加熱コイル部２の周囲に引き出した後に誘導加熱コイル４の巻線方向と逆方向になるように配置した部分を別のリード線を用いて誘導加熱コイル４に接続する場合に比べて、その接続部の損失がなくなるため、電磁誘導加熱調理器の損失を小さくすることができる。
【００２６】
実施の形態３．
図６は本発明の実施の形態３に係る電磁誘導加熱調理器の誘導加熱コイルを示す平面図である。
この実施の形態２も３口の電磁誘導加熱調理器で、筐体１内には誘導加熱コイル部２が左右にそれぞれ１台づつ設置され、２台の誘導加熱コイル部２の左右中央の奥にラジエントヒータ３が設置されているものである。
この実施の形態３は、左右の誘導加熱コイル部２の誘導加熱コイル４とも、その巻き始め側のリード線６ａと巻き終り側のリード線６ｂを短くし、巻き始め側のリード線６ａの端末は誘導加熱コイル４の中心部から外側に引き出したところでネジ止め９され、巻き終り側のリード線６ｂの端末は誘導加熱コイル４の外側に位置させたところでネジ止め９されている。
【００２７】
そして、巻き始め側のリード線６ａのネジ止め９された端末に、リード線６ａより太い延長リード線７ａを接続し、その延長リード線７ａを実施の形態１と同様に、誘導加熱コイル部２の周囲に引き出した後に誘導加熱コイル部２の側面部と前面部で誘導加熱コイル４の巻線方向と逆方向になるように配置し、その端末が筐体１の前面側に配置された制御部（図示せず）に接続されている。
また、巻き終り側のリード線６ｂのネジ止め９された端末に、リード線６ｂより太い延長リード線７ｂを接続し、その延長リード線７ｂを実施の形態１と同様に、誘導加熱コイル４の外側から誘導加熱コイル部２の側面部で誘導加熱コイル４の巻線方向と逆方向になるように配置し、その端末が筐体１の前面側に配置された制御部（図示せず）に接続されている。
【００２８】
この実施の形態２の巻き始め側の短いリード線６ａに接続された延長リード線７ａと巻き終り側の短いリード線６ｂに接続された延長リード線７ｂが、実施の形態１の各誘導加熱コイル部２の誘導加熱コイル４の巻き始め側のリード線６ａと巻き終り側のリード線６ｂとに実質的に相当し、もれ磁束を低減させるという点では実施の形態１と同様である。
この実施の形態２が実施の形態１と相違するのは、誘導加熱コイル４の巻き始め側と巻き終り側のリード線６ａ、６ｂはいずれも短いために、取扱が容易になり、組立ラインにおける作業性が向上し、作業コストの低減を図ることができることである。
さらには、延長リード線７ａ、７ｂはリード線６ａ、６ｂより太い線であり、リード線６ａ、６ｂの場合に比べてよりジュール損失が少なくなる。
【００２９】
実施の形態４．
図７は本発明の実施の形態４に係る電磁誘導加熱調理器の誘導加熱コイルを示す平面図である。
この実施の形態４も３口の電磁誘導加熱調理器で、筐体１内には誘導加熱コイル部２が左右にそれぞれ１台づつ設置され、２台の誘導加熱コイル部２の左右中央の奥にラジエントヒータ３が設置されているものである。
この実施の形態４では、左右両方の誘導加熱コイル部２の誘導加熱コイル４の巻き始め側のリード線６ａは、誘導加熱コイル４の中心部から誘導加熱コイル部２の周囲に引き出した後に誘導加熱コイル部２の側面部と背面部で誘導加熱コイル４の巻線方向と逆方向になるように配置し、その端末が筐体１の背面側に配置された制御部（図示せず）に接続されている。
また、巻き終り側のリード線６ｂは、誘導加熱コイル４の外側から誘導加熱コイル部２の側面部と背面部で誘導加熱コイル４の巻線方向と逆方向になるように配置し、その端末が筐体１の背面側に配置された制御部（図示せず）に接続されている。
【００３０】
この実施の形態４では、左右両方の誘導加熱コイル部２の誘導加熱コイル４の巻き始め側と巻き終わり側のリード線６ａ、６ｂを、誘導加熱コイル部２の側面部と背面部で誘導加熱コイル４の巻線方向と逆方向に配置することにより、これら巻き始め側と巻き終わり側のリード線６ａ、６ｂが誘導加熱コイル部２の側面部と背面部で誘導加熱コイル４が作る磁束と逆向きの磁束を作るために、筐体１の側面部と背面部の外部へのもれ磁束を低減させる。また、筐体１の側面部と背面部の外部へのもれ磁束は周知のように、誘導加熱コイル部２からの距離が遠くなるにしたがい、減少する。
従って、電磁誘導加熱調理器の背面部にあたる壁等にラジオを立てかけて、調理する人がラジオを聞きながら調理するような場合、図７に示す電磁誘導加熱調理器では筐体１の背面部へのもれ磁束が小さくなるため、ラジオへのノイズを低減できることとなった。
【００３１】
さらに、誘導加熱コイル４の巻き始め側と巻き終わり側のリード線６ａ、６ｂを、もれ磁束を低減したい箇所付近である筐体１の側面部と背面側のみに配置すると、従来のような誘導加熱コイル部２の周囲全体に配置する場合に比べてリード線６ａ、６ｂの長さが短くなり、ジュール損失が小さくなった。
図７の実施の形態４に示すように、左右両方の誘導加熱コイル部２の誘導加熱コイル４の巻き始め側と巻き終わり側のリード線６ａ、６ｂを誘導加熱コイル部２の側面部と背面部に略１ターン巻いて配置した場合に、筐体１の背面部から１０ｃｍ離れた位置のもれ磁束を測定した。また、リード線６ａ、６ｂが誘導加熱コイル部２の側面部と背面部に無い場合についても同様に測定した。
また、リード線６ａ、６ｂを略１ターン巻いた場合のもれ磁束は、リード線６が誘導加熱コイル部２の側面部と背面部に無い場合と比べて約７０％に減少した。
【００３２】
図８は同電磁誘導加熱調理器の誘導加熱コイルの第１の変形例を示す平面図である。
この変形例１は、左右両方の誘導加熱コイル部２の誘導加熱コイル４の巻き始め側のリード線６ａを誘導加熱コイル部２の側面部と背面部に略２ターン巻いて配置した場合である。
このように、左右両方の誘導加熱コイル部２の誘導加熱コイル４のリード線６ａのターン数を略２ターンとしてターン数を増加させると、誘導加熱コイル４の磁束と逆向きの磁束成分が大きくなるので、筐体１の側面側と背面側の外部へのもれ磁束は小さくなる。
また、この変形例１についての実施の形態４と同様なもれ磁束の測定結果では、また、リード線６が誘導加熱コイル部２の側面部と背面部に無い場合と比べてもれ磁束は約４０％に減少した。
【００３３】
なお、各誘導加熱コイル部２の誘導加熱コイル４のリード線６ａのターン数が略２ターンになると、リード線６ａの長さが長くなり、ジュール損失が増えるが、従来のように誘導加熱部２全体を取り囲むように２ターン設置する場合に比べると、十分に短くジュール損失は小さいといえる。
また、この変形例１は、各誘導加熱コイル部２の誘導加熱コイル４のリード線６ａを誘導加熱部２の側面部と背面部に略２ターン巻いて配置した場合であるが、必要に応じて数ターンでもかまわない。ターン数を増加させると、誘導加熱コイル４の磁束と逆向きの磁束成分が大きくなるので、所定の位置でもれ磁束が小さくなるように適宜ターン数を調整すればよい。
【００３４】
図９は同電磁誘導加熱調理器の誘導加熱コイルの第２の変形例を示す平面図である。
この変形例２は、３口の電磁誘導加熱調理器で加熱部が３つあり、左右の加熱部のうち、左方が電磁誘導加熱部２で、右方がラジエントヒータ３であり、左右中央の奥の加熱部をラジエントヒータ３としたものである。
そして、左方の誘導加熱コイル部２の誘導加熱コイル４が、実施の形態４の左方の誘導加熱コイル部２の誘導加熱コイル４と同様にその巻き始め側と巻き終わり側のリード線６ａ、６ｂが誘導加熱コイル部２の側面部と背面側に略１ターン巻いて配置されており、その作用、効果は実施の形態４と同様であるので、その説明は省略する。
【００３５】
図１０は同電磁誘導加熱調理器の誘導加熱コイルの第３の変形例を示す平面図である。
この変形例２は、２口の電磁誘導加熱調理器で加熱部が２つあり、左右両方が誘導加熱コイル部２である。
そして、左右両方の誘導加熱コイル部２の誘導加熱コイル４が、実施の形態４と同様にその巻き始め側と巻き終わり側のリード線６ａ、６ｂが誘導加熱コイル部２の側面部と背面部に略１ターン巻いて配置されており、その作用、効果は実施の形態４と同様であるので、その説明は省略する。
なお、２口の電磁誘導加熱調理器で加熱部が２つあり、左右の加熱部のうち、左方が誘導加熱コイル部２で、右方がラジエントヒータ３としたものとした場合に、左方の誘導加熱コイル部２の誘導加熱コイル４の巻き始め側と巻き終わり側のリード線６ａ、６ｂが誘導加熱コイル部２の側面部と背面部に略１ターン巻いて配置させたとしても、その作用、効果は実施の形態４の左方の誘導加熱コイル２と同様である。
【００３６】
実施の形態５．
図１１は本発明の実施の形態５に係る電磁誘導加熱調理器の誘導加熱コイルを示す平面図である。
この実施の形態５も３口の電磁誘導加熱調理器で、筐体１内には誘導加熱コイル部２が左右にそれぞれ１台づつ設置され、２台の誘導加熱コイル部２の左右中央の奥にラジエントヒータ３が設置されているものである。
この実施の形態５では、左方の誘導加熱コイル部２の誘導加熱コイル４の巻き始め側のリード線６ａは、誘導加熱コイル４の中心部から誘導加熱コイル部２の周囲に引き出した後に、その端末が筐体１の前面側に配置された制御部（図示せず）に接続されている。また、巻き終り側のリード線６ｂは、誘導加熱コイル４の外側から誘導加熱コイル部２の側面部から背面部を経た側面部まで誘導加熱コイル４の巻線方向と逆方向になるように配置し、その端末が筐体１の前面側に配置された制御部（図示せず）に接続されている。
【００３７】
これに対し、右方の誘導加熱コイル部２の誘導加熱コイル４の巻き始め側のリード線６ａは、誘導加熱コイル４の中心部から誘導加熱コイル部２の周囲に引き出した後に誘導加熱コイル部２の側面部から背面部を経た側面部まで誘導加熱コイル４の巻線方向と逆方向になるように配置し、その端末が筐体１の前面側に配置された制御部（図示せず）に接続されている。
また、巻き終り側のリード線６ｂは、その端末が筐体１の前面側に配置された制御部（図示せず）に接続されている。
【００３８】
したがって、左方の誘導加熱コイル部２の誘導加熱コイル４は、その巻き終り側のリード線６ｂの方が主体となって誘導加熱コイル部２の側面部から背面部を経た側面部まで誘導加熱コイル４が作る磁束と逆向きの磁束を作るために、筐体１の側面部と背面部の外部へのもれ磁束を低減させ、巻き始め側のリード線６ａは誘導加熱コイル４の巻線方向と逆方向になるように配置させずにそのまま端末が筐体１の前面側にくるため、実施の形態４に比べて巻き始め側のリード線６ａは短くなり、その分ジュール損失が少なくなるものである。
【００３９】
これに対し、右方の誘導加熱コイル部２の誘導加熱コイル４は、その巻き始め側のリード線６ａの方が主体となって誘導加熱コイル部２の側面部から背面部を経た側面部まで誘導加熱コイル４が作る磁束と逆向きの磁束を作るために、筐体１の側面部と背面部の外部へのもれ磁束を低減させ、巻き終り側のリード線６ｂは誘導加熱コイル４の巻線方向と逆方向になるように配置させずにそのまま端末が筐体１の前面側にくるため、実施の形態４に比べて巻き終り側のリード線６ｂは短くなり、その分ジュール損失が少なくなるものである。
【００４０】
上記実施の形態４、実施の形態４の第１〜第３の変形例及び実施の形態５における誘導加熱コイル４の巻き始め側のリード線６ａ及び巻き終わり側のリード線６ｂのいずれか一方又は両方のリード線６ａ、６ｂは、十分に長くして誘導加熱コイル部２の周囲に引き出した後に誘導加熱コイル部２の側面部と背面部で誘導加熱コイル４の巻線方向と逆方向になるように配置し、その端末が筐体１の背面側又は前面側にくるようにしているので、誘導加熱コイル部２の周囲に引き出した後に誘導加熱コイル部２の側面部と背面部で誘導加熱コイル４の巻線方向と逆方向になるように配置する部分を別のリード線を用いて誘導加熱コイル４に接続する場合に比べて、その接続部の損失がなくなるため、電磁誘導加熱調理器の損失を小さくすることができる。
【００４１】
実施の形態６．
図１２は本発明の実施の形態６に係る電磁誘導加熱調理器の誘導加熱コイルを示す平面図である。
この実施の形態６も３口の電磁誘導加熱調理器で、筐体１内には誘導加熱コイル部２が左右にそれぞれ１台づつ設置され、２台の誘導加熱コイル部２の左右中央の奥にラジエントヒータ３が設置されているものである。
この実施の形態６は、左右両方の誘導加熱コイル部２の誘導加熱コイル４とも、その巻き始め側のリード線６ａと巻き終り側のリード線６ｂを短くし、巻き始め側のリード線６ａの端末は誘導加熱コイル４の中心部から外側に引き出したところでネジ止め９され、巻き終り側のリード線６ｂの端末は誘導加熱コイル４の外側に位置させたところでネジ止め９されている。
【００４２】
そして、巻き始め側のリード線６ａのネジ止め９された端末に、リード線６ａより太い延長リード線７ａを接続し、その延長リード線７ａを実施の形態４と同様に、誘導加熱コイル部２の周囲に引き出した後に誘導加熱コイル部２の側面部と背面部で誘導加熱コイル４の巻線方向と逆方向になるように配置し、その端末が筐体１の背面側に配置された制御部（図示せず）に接続されている。
また、巻き終り側のリード線６ｂのネジ止め９された端末に、リード線６ｂより太い延長リード線７ｂを接続し、その延長リード線７ｂを実施の形態４と同様に、誘導加熱コイル４の外側から誘導加熱コイル部２の側面部と背面部で誘導加熱コイル４の巻線方向と逆方向になるように配置し、その端末が筐体１の背面側に配置された制御部（図示せず）に接続されている。
【００４３】
この実施の形態６の巻き始め側の短いリード線６ａに接続された延長リード線７ａと巻き終り側の短いリード線６ｂに接続された延長リード線７ｂが、実施の形態４の各誘導加熱コイル部２の誘導加熱コイル４の巻き始め側のリード線６ａと巻き終り側のリード線６ｂに実質的に相当し、もれ磁束を低減させるという点では実施の形態４と同様である。
この実施の形態２が実施の形態４と相違するのは、誘導加熱コイル４の巻き始め側と巻き終り側のリード線６ａ、６ｂはいずれも短いために、取扱が容易になり、組立ラインにおける作業性が向上し、作業コストの低減を図ることができることである。さらには、延長リード線７ａ、７ｂはリード線６ａ、６ｂより太い線であり、リード線６ａ、６ｂの場合に比べてよりジュール損失が少なくなる。
【００４４】
実施の形態７．
図１３は本発明の実施の形態７に係る電磁誘導加熱調理器の誘導加熱コイルのリード線を固定する状態を示す斜視図である。
こ実施の形態７は実施の形態１〜６におけるリード線６ａ、６ｂ或いは延長リード線７ａ、７ｂを筐体１の側壁に固定する固定方法を示すものである。
図１３に示すように、リード線６ａ、６ｂ或いは延長リード線７ａ、７ｂを筐体１に固定する線固定器具１０は、筐体１の側壁の一部を切り起こして形成された爪状の係止金具１１と、係止金具１１に係止されるリード線を保持する線ホルダ１２とから構成される。
【００４５】
その線ホルダ１２はリード線６ａ、６ｂ或いは延長リード線７ａ、７ｂを挟持するＵ字状ホルダ本体１３と、Ｕ字状ホルダ本体１３と一体で、係止金具１１が挿入係止される係止穴部１４とからなる。
リード線６ａ、６ｂ或いは延長リード線７ａ、７ｂの線を筐体１の側壁に固定する場合、図１３に示すように、線ホルダ１２のＵ字状ホルダ本体１３にリード線を保持させ、その線ホルダ１２の係止穴部１４を筐体１の側壁に形成された爪状の係止金具１１に係止させることにより、線ホルダ１２に保持されたリード線が筐体１の側壁に固定されることとなる。
【００４６】
このように、筐体１の側壁の所定位置に線固定器具１０によりリード線６ａ、６ｂ或いは延長リード線７ａ、７ｂが固定されることにより、リード線６ａ、６ｂ或いは延長リード線７ａ、７ｂの取付位置精度が向上し、リード線６ａ、６ｂ或いは延長リード線７ａ、７ｂの作る磁束のバラツキがなくなる。
従って、誘導加熱コイル部２の所定位置からのもれ磁束と同程度の逆向きの磁束を、その所定位置に固定されたリード線６ａ、６ｂ或いは延長リード線７ａ、７ｂで作れば、誘導加熱コイル部２からのもれ磁束を打ち消す精度が向上し、所定の位置のもれ磁束を略極小化することができる。
【００４７】
【発明の効果】
以上のように本発明によれば、筐体内の誘導加熱コイル部の誘導加熱コイルのリード線を、誘導加熱コイル部の側面部と前面部で該誘導加熱コイルの巻線方向と逆方向になるように配置したので、必要以上に誘導加熱コイルのリード線を長くすることなく、電磁誘導加熱調理器の前面部からのもれ磁束を低減でき、リード線のジュール損失も低減できるという効果がある。
【図面の簡単な説明】
【図１】本発明の実施の形態１に係る電磁誘導加熱調理器の誘導加熱コイルを示す平面図である。
【図２】同電磁誘導加熱調理器の誘導加熱コイルの第１の変形例を示す平面図である。
【図３】同電磁誘導加熱調理器の誘導加熱コイルの第２の変形例を示す平面図である。
【図４】同電磁誘導加熱調理器の誘導加熱コイルの第３の変形例を示す平面図である。
【図５】本発明の実施の形態２に係る電磁誘導加熱調理器の誘導加熱コイルを示す平面図である。
【図６】本発明の実施の形態３に係る電磁誘導加熱調理器の誘導加熱コイルを示す平面図である。
【図７】本発明の実施の形態４に係る電磁誘導加熱調理器の誘導加熱コイルを示す平面図である。
【図８】同電磁誘導加熱調理器の誘導加熱コイルの第１の変形例を示す平面図である。
【図９】同電磁誘導加熱調理器の誘導加熱コイルの第２の変形例を示す平面図である。
【図１０】同電磁誘導加熱調理器の誘導加熱コイルの第３の変形例を示す平面図である。
【図１１】本発明の実施の形態５に係る電磁誘導加熱調理器の誘導加熱コイルを示す平面図である。
【図１２】本発明の実施の形態６に係る電磁誘導加熱調理器の誘導加熱コイルを示す平面図である。
【図１３】本発明の実施の形態７に係る電磁誘導加熱調理器の誘導加熱コイルのリード線を固定する状態を示す斜視図である。
【符号の説明】
１  筐体、２  誘導加熱コイル部、４  誘導加熱コイル、６ａ  リード線、６ｂ  リード線。
【図１】
2004327198.tif 000003
【図２】
2004327198.tif 000004
【図３】
2004327198.tif 000005
【図４】
2004327198.tif 000006
【図５】
2004327198.tif 000007
【図６】
2004327198.tif 000008
【図７】
2004327198.tif 000009
【図８】
2004327198.tif 000010
【図９】
2004327198.tif 000011
【図１０】
2004327198.tif 000012
【図１１】
2004327198.tif 000013
【図１２】
2004327198.tif 000014
【図１３】
2004327198.tif 000015